(57)【特許請求の範囲】
【請求項１】
錠箱に水平移動可能に設けられ、回動子２６が一方向へ回転すると、デッドボルト１１のデッド頭部１４が錠箱１のフロント板５から突出する錠用ボルトの長さ調整機構に於いて、別体に形成され、かつ、前記デッド頭部１４を有するデッド嵌合先端部１２の後端面と、前記回動子２６が係合する係合部２２を有するデッド嵌合後端部１３の先端面との間には「隙間」が全く生じないようにスライド嵌合する二つの嵌合物品１２，１３から成るデッドボルト１１、このデッドボルト１１にその出没方向に挿入螺合され、かつ、ドライバーの操作によって回動するバックセット調整ボルト３０と、このバックセット調整ボルトの外周壁に常時圧接するように前記デッドボルト１１のデッド嵌合先端部１２に内装されたバックセット調整ボルト用緩み防止部材４０と、前記バックセット調整ボルトに設けられ、かつ、前記デッド嵌合先端部１２を所定位置に規制する規制部材３７とから成ることを特徴とする錠用ボルトの長さ調整機構。
【請求項２】
請求項１に於いて、バックセット調整ボルト３０は、前面にドライバーが係合する係合溝３１ａを有する係合頭部３１と、この係合頭部３１の後方に連設し、かつ、外周面が多面状の当接部３２と、この当接部３２の後方に延設する大径部３３と、この大径部３３の後方に延設する小径部３４と、この小径部３４の後方に延設し、かつ、デッド嵌合後端部１３のメネジ２１に螺合するオネジ３５とから成ることを特徴とする錠用ボルトの長さ調整機構。
【請求項３】
請求項１に於いて、規制部材３７Ａは、半径方向に切欠部３８を有する環状の弾性体であり、この弾性体３７Ａは、デッド嵌合先端部１２の嵌合凸部１７の後端面に形成された嵌合孔３９に嵌め込まれることを特徴とする錠用ボルトの長さ調整機構。
【請求項４】
錠箱に水平移動可能に設けられ、回動子が一方向へ回転すると、ラッチボルトのラッチ頭部が錠箱のフロント板から突出する錠用ボルトの長さ調整機構に於いて、別体に形成され、かつ、ラッチ頭部１４Ａを有するラッチ嵌合先端部１２Ａの後端面と、回動子２６Ａが係合する係合部２２Ａを有するラッチ嵌合後端部１３Ａの先端面との間には「隙間」が全く生じないようにスライド嵌合する二つの嵌合物品１２Ａ，１３Ａから成るラッチボルト１１Ａと、このラッチボルト１１Ａにその出没方向に挿入螺合され、かつ、ドライバーの操作によって回動するバックセット調整ボルト３０Ａと、このバックセット調整ボルトの外周壁に常時圧接するように前記ラッチボルト１１Ａのラッチ嵌合先端部１２Ａに内装されたバックセット調整ボルト用緩み防止部材４０Ａと、前記バックセット調整ボルトに設けられ、かつ、前記ラッチ嵌合先端部１２Ａを所定位置に規制する規制部材３７とから成ることを特徴とする錠用ボルトの長さ調整機構。
【発明の詳細な説明】
【０００１】
【発明の属する技術分野】
本発明はデッドボルトやラッチボルトのバックセットの長さを調整することができる錠用ボルトの長さ調整機構に関する。
【０００２】
【従来の技術】
従来、錠片の突出量調節装置の一例は実公平２−３７９８１号公報に開示されている。この実施例は、基本的には調整用ビス、このビスに螺合するスライダ、このスライダの当接片と当接する板片を有する所定寸法の錠片、この錠片を突出方向へ常時付勢するバネ部材により構成されている。しかしながら、この実施例の欠点を述べると、次に列挙する通りである。
（１）錠片は、その長さが所定寸法であるため、錠箱のバックセットが異なると、使用が困難ないし不可能である。すなわち、各錠箱の規格寸法によって各々バックセットが異なるが、１つの錠片をバックセットが異なる各錠箱に共通的に使用することができない。
（２）「チリ」との関係で錠片の突出量を再調整をする必要がある場合、まずフロント板を取り外して調整用ビス頭部を露出させ、次にドライバーで錠片の突出量を調整しなければならない。したがって、再調整に手間や時間がかかる。
（３）錠片がバネ部材のバネ力により突出方向に常時付勢されている点、また調整用ビスの緩みを防止する手段が設けられてない点から、錠片に必要以上の振動や衝撃が加わると、錠片のフロント板からの突出量が変わってしまう。
（４）錠片のフロント板からの突出量を調整する場合、調整用ビスそれ自体に回動量の「目安」となる構成が設けられていないので、正確に調整しようと試みれば、調整用ビスを左右に何度も回転すると言う具合に、調整行為を繰り返す場合が多い。したがって、正確な調整を簡単にできない。
【０００３】
【発明が解決しようとする課題】
本発明の課題は、従来の上記実施例の有する欠点に鑑み、１つの錠片をバックセットが異なる各錠箱に共通的に使用することができ、また「チリ」との関係で錠片の突出量を再調整をする必要がある場合、容易かつ正確に突出量を調整することができ、さらに、使用中の振動や衝撃により錠用ボルトの長さが変わらない錠用ボルトの長さ調整機構を得ることである。
【０００４】
【課題を解決するための手段】
本発明の錠用ボルトの長さ調整機構は、錠箱に水平移動可能に設けられ、回動子２６が一方向へ回転すると、デッドボルト１１のデッド頭部１４が錠箱１のフロント板５から突出する錠用ボルトの長さ調整機構に於いて、別体に形成され、かつ、前記デッド頭部１４を有するデッド嵌合先端部１２の後端面と、前記回動子２６が係合する係合部２２を有するデッド嵌合後端部１３の先端面との間には「隙間」が全く生じないようにスライド嵌合する二つの嵌合物品１２，１３から成るデッドボルト１１、このデッドボルト１１にその出没方向に挿入螺合され、かつ、ドライバーの操作によって回動するバックセット調整ボルト３０と、このバックセット調整ボルトの外周壁に常時圧接するように前記デッドボルト１１のデッド嵌合先端部１２に内装されたバックセット調整ボルト用緩み防止部材４０と、前記バックセット調整ボルトに設けられ、かつ、前記デッド嵌合先端部１２を所定位置に規制する規制部材３７とから成ることを特徴とする。
【０００５】
上記構成に於いては、デッドボルトに代えてラッチボルトにしても良い。この場合錠用ボルトの長さ調整機構は、別体に形成され、かつ、ラッチ頭部１４Ａを有するラッチ嵌合先端部１２Ａの後端面と、回動子２６Ａが係合する係合部２２Ａを有するラッチ嵌合後端部１３Ａの先端面との間には「隙間」が全く生じないようにスライド嵌合する二つの嵌合物品１２Ａ，１３Ａから成るラッチボルト１１Ａと、このラッチボルト１１Ａにその出没方向に挿入螺合され、かつ、ドライバーの操作によって回動するバックセット調整ボルト３０Ａと、このバックセット調整ボルトの外周壁に常時圧接するように前記ラッチボルト１１Ａのラッチ嵌合先端部１２Ａに内装されたバックセット調整ボルト用緩み防止部材４０Ａと、前記バックセット調整ボルトに設けられ、かつ、前記ラッチ嵌合先端部１２Ａを所定位置に規制する規制部材３７とから成る。
【０００６】
なお、「バックセット」とは、回動子２６、２６Ａを回動する操作部材の軸２９の中心から錠箱１、１Ａのフロント板５、５Ａの前面までの長さＬ、Ｌ１を言う。
【０００７】
【発明の実施の形態】
以下、図面に示す本発明の実施の形態を、ドアの開閉側端部に埋め込まれた錠箱との関係で説明する。
【０００８】
図１ないし図７は、錠箱１に組み込まれた錠用ボルトの長さ調整機構１０の第１実施例を示す。まず錠箱１について説明する。錠箱１は図示しないドア枠に設けられた係合用受け金具（トロヨケやストライク）と対向するようにドアの開閉側端部の開口に埋め込まれる。
【０００９】
２は錠箱１の垂直壁３の適宜箇所に突設されたガイドピンである。このガイドピン２は、設計如何により、後述するラッチボルト側に設けても良い。この場合錠箱１側にガイド用の水平長孔を形成する格好と成る。前記垂直壁３には、その他取付け孔、嵌合孔等が適宜形成されているが、便宜上省略してある。
【００１０】
４は錠箱１の前端板で、この前端板４にはフロント板５が複数個の取付けビス６を介して一体的に取付けられる。しかして、このフロント板５及び前端板４の中央部ないし中央部寄りの部位には、デッドボルト用の貫孔７が形成されている。次に錠用ボルトの長さ調整機構１０について説明する。この錠用ボルトの長さ調整機構１０は、基本的には別体に形成され、かつ、デッド嵌合先端部１２の後端面と、デッド嵌合後端部１３の先端面との間には「隙間」が全く生じないように嵌合する二つの嵌合物品１２，１３から成るデッドボルト１１と、このデッドボルト１１にその出没方向に挿入螺合され、かつ、ドライバーの操作によって回動するバックセット調整ボルト３０と、このバックセット調整ボルト３０の外周壁に常時圧接するように前記デッドボルト１１に内装されたバックセット調整ボルト３０用緩み防止部材４０と、前記バックセット調整ボルト３０に設けられ、かつ、前記デッド嵌合先端部１２を所定位置に規制する規制部材３７とから成る。以下、これらの各部材を順番に説明する。
【００１１】
まずデッドボルト１１は、前述したように凸嵌合部と凹所嵌合部との二つの嵌合物品から成るが、本実施例ではフロント板５及び前端板４の貫孔７を貫通する、あるいはフロント板５から出没する凸側のデッド嵌合先端部１２と、このデッド嵌合先端部１２とスライド可能に嵌合する凹所側のデッド嵌合後端部１３とで構成されている。この場合設計如何によっては、デッド嵌合先端部１２を凹所側にし、一方、デッド嵌合後端部１３を凸側に形成しても良い。
【００１２】
しかして、前記デッド嵌合先端部１２につき説明すると、１４はドアを閉めた際にデッドボルト１１の水平移動によりフロント板５から突出する角型のデッド頭部である。このデッド頭部１４の軸（出没）方向には、大径の第１貫通孔１５が形成されている。またデッド頭部１４の半径方向には、一側壁から前記貫通孔１５と連通状態に交差する収納小孔１６が形成されている。１７はデッド頭部１４の後方に小径ブロック状に連設する角型の嵌合凸部で、この嵌合凸部１７の軸（進退動）方向には、前記貫通孔１５と同軸上に連通する小径の第２貫通孔１８が形成されている。
【００１３】
また前記デッド嵌合後端部１３について説明すると、１９は前方部側にデッド嵌合先端部１２の嵌合凸部１７がスライド嵌合する角型の嵌合穴２０を有する嵌合凹部である。この嵌合凹部１９の軸（進退動）方向には、デッド嵌合先端部１２の各貫通孔１５、１８と同軸上に嵌合穴２０と連通するバックセット調整ボルト３０用メネジ２１が形成されている。２２は嵌合凹部１９の後方に一体的に固定された板状の係合部で、この係合部２２には、錠箱のガイドピン２と係合するガイド用水平長孔２３が形成されていると共に、本実施例では下辺部に対向するテーパー状の係止面２４、２４を有する切欠部２５が形成されている。ところで、図１，図５等を根拠にして嵌合凸部１７と嵌合凹部１９の嵌合関係について付言すると、デッド嵌合先端部１２（デッド頭部１４と嵌合凸部１７を有する物品）と、該デッド嵌合先端部１２とスライド嵌合するデッド嵌合後端部１３（嵌合凹部１９と回転子２６に係合する係合部２２を有する物品）の二つの嵌合物品から成るデッドボルト１１は、嵌合凸部１７の内端面（実施例では、デッド頭部１４に連設する嵌合凸部１７の内端面）が嵌合凹部１９の嵌合孔２０に入り込むように嵌合し、かつ、前記嵌合凸部１７は、嵌合凹部１９の内壁面に対してスライド可能である。したがって、デッドボルト１１は、別体に形成されたデッド嵌合先端部１２の後端面と、デッド嵌合後端部１３の先端面との間には「隙間」が全く生じない。
【００１４】
２６は錠箱１内に組み込まれた回動子（例えばダルマ）で、この回動子２６は角型あるいは非円形の中心係合孔２７を有すると共に、デッドボルト１１の前記係合部２２の係止面２４と係合する駆動アーム２８を有する。
【００１５】
しかして、回動子２６の前記中心係合孔２７には、サムターン又はキーシリンダーなどの操作部材の角型等の軸２９が係合する。
【００１６】
次にバックセット調整ボルト３０について説明する。ここで、「バックセット」とは、図３で示すように、回動子２６を回動する操作部材の軸２９の中心から錠箱１のフロント板５の前面までの長さＬを言う。このバックセットＬは、本実施例ではバックセット調整ボルト３０の螺合部分の長さをデッド嵌合後端部１３のメネジ２１に対して調整することにより行われる。したがって、錠片としてのデッドボルト１１の長さを、当該錠箱１のバックセットＬに合わせることができる。
【００１７】
しかして、３１は係合頭部で、この係合頭部３１の前面には、図示しない「プラス」又は「マイナス」のドライバーが係合する係合溝が３１ａが形成されている。３２は係合頭部３１の後方に連設する当接部で、この当接部３２の外周面は、図７で示すように、五角形、六角形、八角形等の多面状に形成されている。３３は当接部３２の後方に延設する大径部で、この大径部３３は前記係合頭部３１及び当接部３２と共にデッド嵌合先端部１２の第１貫通孔１５に回動可能に挿入される。３４は大径部３３の後方に延設する小径部で、この小径部３４はデッド嵌合先端部１２の第２貫通孔１８に回動可能に挿入される。３５は小径部３４の後方に延設しかつデッド嵌合後端部１３のメネジ２１に螺合するオネジである。
このオネジ３５は少なくともデッド嵌合後端部１３の端面から突出している。３６はオネジ３５と小径部３４の堺に形成された周溝である。
【００１８】
３７はバックセット調整ボルト３０をデッドボルト１１の各貫通孔１５、１８に挿入貫通した場合に於いて、デッド嵌合先端部１２がバックセット調整ボルト３０の軸方向に移動しないように規制する規制部材である。本実施例ではＥリング状の止めリング３７が使用されている。この止めリング３７はバックセット調整ボルト３０の周溝３６に嵌め込まれ、デッド嵌合先端部１２の嵌合凸部１７の端面と当接する。したがって、バックセット調整ボルト３０はデッドボルト１１のデッド嵌合先端部１２から抜けないと共に、該デッド嵌合先端部１２内で前後方向に移動することなく回動可能である。
【００１９】
次に緩み防止部材４０について説明する。この緩み防止部材４０は、デッド嵌合先端部１２のデッド頭部１４の収納小孔１６内に組み込まれる。しかして、４１はバックセット調整ボルト３０の当接部３２と圧接する圧接体である。この圧接体４１は球ないし弾状に形成されている。４２は圧接体４１を前記当接部３２の方向へ常時付勢するバネである。このバネ４２に代えてスポンジ状の弾性体を使用しても良い。４３は弾発体又は弾性体４２を受けるように前記収納小孔１６を閉鎖する蓋体で、この蓋体４３はデッド頭部１４にカシメ固定される。
【００２０】
したがって、緩み防止部材４０は、本実施例ではデッド頭部１４の収納小孔１６に内装されたバネ４２と、このバネ４２のバネ力によりバックセット調整ボルト３０の当接部３２の外周面の選択（調整）された１つの面と圧接する圧接球４１とから成る。
【００２１】
前述したようにバックセットＬは、錠箱の規格寸法により様々に異なるものが存在する。そこで、今仮に所望する錠箱１に上記構成のデッドボルト１１を組み込み、かつ、図３で示すように回転子２６を解錠方向へ回転し、その駆動アーム２８が右側に位置した場合に於いて、デッドボルト１１のデッド頭部１４がフロント板５から多少突出する時は、デッドボルト１１の長さを調整する必要がある。
【００２２】
しかして、バックセット調整ボルト３０の係合頭部３１の係合溝３１ａにドライバーを係合し、バックセット調整ボルト３０を所望の方向へ回転する。この時バックセット調整ボルト３０はデッド嵌合先端部１２内では定位置で回転する。そして、バックセット調整ボルト３０のデッド嵌合後端部１３のメネジ２１に対する螺合部分が短く成ればデッド頭部１４の突出量が大きくなり、反対にメネジ２１に対する螺合部分が長く成ればデッド頭部１４の突出量が小さく成る。したがって、図３に於いてはデッド嵌合後端部１３のメネジ２１に対してバックセット調整ボルト３０の螺合部分を長くすればバックセットＬが調整され、デッド頭部１４の先端面と錠箱１のフロント板５の前面とが一致する。
【００２３】
ところで、ドライバーでバックセット調整ボルト３０を任意の方向へ回転する際、緩み防止部材４０の圧接体４１は弾発体又は弾性体４２の弾発（弾性）力に抗して一旦後退するが、バックセット調整ボルト３０が停止した際には、圧接体４１はその多面状当接部３２の外周面の選択された１つの面と点ないし面接触しているので、バックセット調整ボルト３０は容易に緩まない。
【００２４】
なお、前記実施の形態の説明に於いて、デッド嵌合先端部１２用の規制部材３７はＥリング状の止めリングであることを説明したが、図８及び図９で示すよう環状の弾性体であっても良い。すなわち、規制部材３７Ａは、半径方向に切欠部３８を有する環状の弾性体であり、この弾性体３７Ａは、デッド嵌合先端部１２の嵌合凸部１７の後端面に形成された嵌合孔３９に嵌め込まれ、かつ、図９で示すように、バックセット調整ボルト３０をデッド嵌合先端部１２に貫通状態に差し込んだ時に、規制部材３７Ａはその材質自体の弾性力に抗してその中心開口部が開き、その結果、規制部材３７Ａはバックセット調整ボルト３０の周溝３６に噛み込んでいる。したがって、この実施例に於いても前述した規制部材３７と同様な効果があると共に、さらに、規制部材３７Ａがデッド嵌合先端部１２の嵌合孔３９に内装されるので、調整上邪魔にならないと言う効果がある。
【００２５】
【発明の異なる実施の形態】
次に本発明の異なる実施の形態につき説明する。なお、この異なる実施の形態を説明するに当たっては、発明の構成上の同一部分には、上記発明の実施の形態で説明した符号をそのまま付し、あるいは同様の符号を付し、重複する説明を省略する。
【００２６】
まず図１０及び図１１に於いて、主な構成部材に符号を付すと、１Ａは錠箱、５Ａはフロント板、１０Ａは錠用ボルトの長さ調整機構、１１Ａはラッチボルト、１２Ａはラッチ嵌合先端部、１３Ａはラッチ嵌合後端部、１４Ａはラッチ頭部、１７Ａは嵌合凸部、１９Ａは嵌合凹部、２２Ａは垂直板状の係合部、２３Ａは係合部ではなく、ラッチ嵌合後端部に形成された水平長孔、２６Ａは回動子、３０Ａはバックセット調整ボルト、４０Ａはバックセット調整ボルト用緩み防止部材、５０はラッチボルト１１Ａを錠箱１Ａのフロント板５Ａから突出するように常時付勢する付勢バネ、５１は図示しない操作部材（ノブやレバーハンドル）により回動する回動子２６Ａを付勢する復帰バネ、５２は回動子２６Ａのストッパー部である。
【００２７】
したがって、この実施形態の実施例に於いては、錠用ボルトの長さ調整機構１０Ａは、ラッチボルト１１ＡのバックセットＬ１の長さを調整する点が前記実施形態の実施例と異なる。この場合の調整は、バックセット調整はもちろんであるが、特に「チリ」との関係を考慮しながらフロント板５Ａからのラッチ頭部１４Ａの突出量を調整する。
【００２８】
なお、本発明の実施の形態に於いては、デッドボルト１１のバックセットＬの長さを調整する第１実施例と、ラッチボルト１１ＡのバックセットＬ１の長さを調整する第２実施例とをそれぞれ錠箱１、錠箱１１Ａに区分して示したが、１つの錠箱内の上下の位置に両方の錠用ボルトの長さ調整機構１０、１０Ａを所要間隔を有して適宜に組み込んでも良いのはもちろんである。
【００２９】
【発明の効果】
以上の説明から明らかなように、本発明にあっては次に列挙するような効果がある。
（１）１つの錠片をバックセットが異なる各錠箱に共通的に使用することができる。この場合「バックセット」の調整を簡単に行うことができる。
（２）「チリ」との関係でラッチボルト１１Ａの突出量を再調整をする必要がある場合、フロント板を錠箱から取り外す必要がないので、ラッチボルト１１Ａの突出量を容易に調整することができる。
（３）バックセット調整ボルト用緩み防止部材４０が設けられているので、使用中の振動や衝撃により錠用ボルトの長さが容易に変わらない。
（４）請求項２に記載の実施例に於いては、錠用ボルトの正確な調整を簡単に行うことができる。
【図面の簡単な説明】
図１ないし図７は本発明の実施の形態を説明するための各説明図。図１０及び図１１は本発明の異なる実施の形態を説明するための各説明図。
【図１】実施の形態を説明するための説明図（解錠状態）。
【図２】実施の形態を説明するための説明図（施錠状態）。
【図３】デッドボルトに於けるバックセットＬの長さ調整の説明図。
【図４】デッドボルトの長さ調整機構の分解斜視図。
【図５】図４に於ける組み合わせ状態の説明図。
【図６】要部の斜視図。
【図７】図６に於ける７−７線拡大断面図。
【図８】規制部材の異なる実施例の分解斜視図。
【図９】図８に於ける結合の概略断面説明図。
【図１０】異なる実施の形態を説明するための説明図（ラッチボルト）。
【図１１】ラッチボルトの長さ調整機構の分解斜視図。
【符号の説明】
１、１Ａ…錠箱、５、５Ａ…フロント板、１０、１０Ａ…錠用ボルトの長さ調整機構、１１…デッドボルト、１１Ａ…ラッチボルト、１２…ラッチ嵌合先端部１２Ａ…ラッチ嵌合先端部、１３Ａ…ラッチ嵌合後端部１３Ａ…ラッチ嵌合後端部、１４…ラッチ頭部１４Ａ…ラッチ頭部、１７、１７Ａ…嵌合凸部、１９、１９Ａ…嵌合凹部、２０…嵌合穴、２１…メネジ、２２、２２Ａ…係合部、２６、２６Ａ…回動子、３０、３０Ａ…バックセット調整ボルト、３１…係合頭部、３２…当接部、３５…オネジ、３６…周溝、３７、３７Ａ…規制部材、３８…切欠部、３９…嵌合孔、４０、４０Ａ…緩み防止部材、４１…圧接体、４２…バネ、Ｌ、Ｌ１…バックセット。
【図１】
0003720104.tif 000002
【図２】
0003720104.tif 000003
【図３】
0003720104.tif 000004
【図４】
0003720104.tif 000005
【図５】
0003720104.tif 000006
【図６】
0003720104.tif 000007
【図７】
0003720104.tif 000008
【図８】
0003720104.tif 000009
【図９】
0003720104.tif 000010
【図１０】
0003720104.tif 000011
【図１１】
0003720104.tif 000012